(57)【要約】【課題】ストロボ発光停止用の回路及び上記測光センサーが必要となり、小型化が進むビデオカメラ及びデジタルカメラにおいては、回路を配置する面積や、測光センサーの配置場所等が必要となり、小型化には不利である。【解決手段】ストロボ発光量を撮影したい被写体の映像情報をピーク検出部６と平均化演算部７からの出力データとして、取り込むことにより、ストロボ発光量を演算、制御を行うことで誤動作の無いストロボ撮影を提供することができる。【選択図】  図１
2004297309.tif 000002
【特許請求の範囲】
【請求項１】
ストロボを備え、ストロボ発光要求信号に基づき前記ストロボを発光させるカメラ装置であって、被写体の光を電気信号へ変換する撮像素子と、前記撮像素子への入射光量を制限する光量制限手段と、前記撮像素子から出力された信号を増幅する増幅手段と、前記増幅手段の出力をデジタルデータに変換するデジタル変換手段と、前記デジタル変換手段から出力されたデジタルデータを元に撮影画面中の最大データを検出するピーク検出手段と、前記デジタル変換手段から出力されたデジタルデータを元に撮影画面データの算術平均値を演算する平均値演算手段と、前記ピーク検出手段及び前記平均値演算手段の出力から適切な露出制御を行い外部からストロボ発光要求信号が入力された場合に制御を切り替えることが可能な露光制御手段と、前記ストロボ発光要求信号と前記ピーク検出手段からの最大データと前記平均値演算手段からの算術平均値と前記露出制御手段からの制御信号とに基づき前記ストロボの発光量を制御するストロボ制御手段とを有することを特徴とするカメラ装置。
【請求項２】
ストロボ制御手段は、ピーク検出手段及び平均化演算手段の出力からストロボの発光量を演算するストロボ発光量決定手段と、前記ストロボ発光量決定手段の出力に露出制御手段の出力に応じストロボ発光量を変化させる第１の補正条件を発生する第１の補正条件発生手段と、前記第１の補正条件とは異なる特性を持つ第２の補正条件を発生する第２の補正条件発生手段と、前記ストロボ発光量決定手段と前記第１の補正条件と前記第２の補正条件の出力を選択可能な第１の切替手段と、前記ストロボ発光要求信号と前記露出制御手段から前記第１の切替手段を切り替えるための条件を判断する切替条件判断手段とを有し、前記切替条件判断手段は、前記ストロボ発光要求信号を受け取った場合に、前記露出制御手段からの出力に応じ、前記ストロボ発光量決定手段と前記第１の補正条件と前記第２の補正条件のどのストロボ発光量が適切か判断し、前記第１の切替手段を切り替えることを特徴とする請求項１記載のカメラ装置。
【請求項３】
露出制御手段は、ピーク検出手段及び平均化演算手段の出力から増幅手段を制御するアンプ制御手段と、前記ピーク検出手段及び前記平均化演算手段の出力から光量制限手段を制御する光量制御手段と、前記ピーク検出手段及び前記平均化演算手段の出力から前記アンプ制御手段の出力を変化させる第３の補正条件を発生する第３の補正条件発生手段と、前記アンプ制御手段と前記第３の補正条件との出力を切り替えるための第２の切替手段と、前記ピーク検出手段及び前記平均化演算手段の出力と前記ストロボ発光要求信号から前記第２の切替手段を切り替えるための条件を判断する切替条件判断手段とを有し、前記切替条件判断手段は、前記ストロボ発光要求信号を受け取った場合に、前記ピーク検出手段及び前記平均化演算手段の出力からの出力に応じ、前記アンプ制御手段と前記第３の補正条件発生手段の出力をどちらが適切かを判断し、前記第２の切替手段を切り替えることを特徴とする請求項１記載のカメラ装置。
【発明の詳細な説明】
【０００１】
【発明の属する技術分野】
本発明は、ビデオカメラ、及びデジタルカメラにおけるストロボによる撮影に関するものである。
【０００２】
【従来の技術】
図７は従来のカメラ装置の構成を示す模式図である。図において、２８は被写体像を撮像可能なカメラ、２６はカメラ２８のレンズと同方向を向いて配置されたストロボ、２７はカメラ２８のレンズと同方向を向いて配置され発光したストロボ光を測定する測光センサー、２４は被写体、２５は被写体２４とカメラ２８との間に配置された障害物である。
【０００３】
以上のように構成された従来のカメラ装置について、以下その動作について説明する。
【０００４】
一般的に、ストロボ２６の発光量の調整は、測光センサー２７によりストロボ２６が発光した時の被写体からの反射光を受止め、ストロボ発光量を制御するものである。この測光センサー２７は光があたるとその光の強さに比例し電荷を発生させるが、この電荷を蓄積し、その電荷の量が一定量以上であった場合に、ストロボ２６の発光を停止させる停止回路（カメラ２８内に設けられている。但し図示せず）により、ストロボ発光を停止する仕組みである。
【０００５】
ストロボ２６が発光し、被写体２４を反射した反射光は、カメラ２８から被写体２４までの距離が近ければ大きくなるため、測光センサー２７において電荷が貯まるスピードが速くなり、発光停止回路が早く動作を開始してストロボ発光停止が早くなる。一方、カメラ２８から被写体２４までの距離が遠い場合には、反射光が小さくなるため、測光センサー２７にて電荷が貯まるのに時間がかかり、ストロボ発光停止が遅くなる。これにより、被写体２４までの距離が近い場合には発光時間は少なく、遠い場合には長く発光させることにより、ストロボ発光量を制御し、ユーザーに最適なストロボ撮影を提供している。
【０００６】
また、上記定量はマイクロコンピュータ（図示せず）により、自由に決定が可能で、この定量をマイクロコンピュータにより可変制御することによって、明るさをコントロールすることが可能である。例えば、ビデオカメラ等のストロボの明るさは顧客の好みにより、明るさを通常からプラス、マイナスすることが可能となっているが、これは、上記定量をマイクロコンピュータによりシフトすることで可能となる。
【０００７】
【特許文献１】
特開昭６３−２２０２３０号公報
【０００８】
【発明が解決しようとする課題】
しかしながら上記の従来の構成では、ストロボ発光停止用の回路及び上記測光センサー２７が必要となる。現在、小型化が進むビデオカメラ及び、デジタルカメラにおいては、回路を配置する面積や、測光センサー２７の配置場所等が必要となり、小型化には不利である。また、上記方式であると、誤って撮影時に測光センサー２７の前に指等をおいてしまった場合には、測光センサー２７が光を受け取ることができず、撮影物が極端に明るく撮影されてしまう課題がある。また、図７のような状態で撮影された場合、撮影者と被写体の間に障害あると、測光センサー２７は障害物からの反射光にてストロボ発光量を最適にしてしまうため、本来撮影しようとしている被写体まで光が届かず極端に暗く撮影されてしまうという課題も存在する。また、被写体の後に、明るいライト等がある場合、また、日中の屋外等のもともと明るい場所での逆光状態でのストロボ撮影では、測光センサー２７がストロボの反射光ではなく周囲の光で発光量制御をしてしまうため、発光停止が早くなり、ユーザーの希望する明るさを確保できなくなるという課題も存在する。
【０００９】
本発明は上記従来の課題点を解決するもので、測光センサー方式とは異なり、被写体情報を一定時間のストロボ発光（以下プリ発光）によりデジタルの映像データとして検出し、その検出情報を元に、撮影用ストロボ発光量を演算、制御を行うことで安定し、かつ誤動作のないストロボ撮影を提供することを目的とする。
【００１０】
【課題を解決するための手段】
この課題を達成するために、本発明のカメラ装置は、ユーザーが撮影したい被写体の情報をプリ発光により、デジタルの映像データとして取りこみ、前記ストロボ制御手段により撮影用のストロボ発光時間を演算する。またその時のピーク検出手段及び、平均値演算手段の出力、光量制限手段、アンプ回路の制御値の状態から補正Ａ、Ｂ、Ｃを加え、撮影用のストロボ発光に必要な発光時間を演算、制御するものである。
【００１１】
この方式であると、画面に映っている被写体にてストロボ発光量が最適化されるため、従来方式のように撮影者と被写体の間に障害物があったとしても画面に映り込まない限り、発光量が不適格になることは無い。また、プリ発光による被写体情報がデジタルの映像データとして検出可能なため、様々な補正を加えることが出来るため、より良い、ストロボ撮影を提供することを目的とする。
【００１２】
【発明の実施の形態】
本発明の請求項１に記載の発明は、光を電気信号へ変換するＣＣＤと、前記ＣＣＤへの入射光量を制限する光量制限手段と、前記ＣＣＤから出力された信号を増幅するアンプ回路と、前記アンプ回路の出力をデジタルデータに変換するデジタル変換手段と、前記デジタル変換手段から出力されたデジタルデータを元に撮影画面中の最大データを検出するピーク検出手段と、前記デジタル変換手段から出力されたデジタルデータを元に撮影画面データの算術平均値を演算する平均値演算手段と、前記ピーク検出手段及び、前記平均値演算手段の出力から適切な露出制御を行い、外部からのストロボ発光要求信号が来た場合に、制御を切り替えることが可能な露出制御手段と、前記露出制御手段から前記アンプ回路と前記光量制限手段を制御するカメラ装置であって、前記ストロボ発光要求信号と、前記ピーク検出手段及び、前記平均値演算手段の出力と、前記露出制御手段から被写体照射用のストロボ発光量を制御するストロボ制御手段と、前記ストロボ制御手段の出力に応じて発光量が変化可能なストロボを有することを特徴とするカメラ装置としたものであり、ユーザーが撮影をしたい被写体の情報を前記プリ発光によりデジタルの映像データとして取り込み、撮影画面に映る映像情報から、撮影に必要なストロボ発光時間を演算、制御するものであり、常に安定した性能を供給するという作用を有する。
【００１３】
請求項２に記載の発明は、前記ピーク検出手段及び、前記平均化演算手段の出力から、前記ストロボの発光量を演算するストロボ発光量決定手段と、前記ストロボ発光量決定手段の出力に、前記露出制御手段の出力に応じストロボ発光量を変化させる補正条件Ａと、前記補正条件Ａとは異なる特性を持つ補正条件Ｂと、前記ストロボ発光量決定手段と前記補正条件Ａと前記補正条件Ｂの出力を選択可能な切替手段Ｓ１と、前記ストロボ発光要求信号と前記露出制御手段から、前記切替手段Ｓ１を切り替えるための条件を判断する切替条件判断手段Ｘを有するストロボ制御手段であって、前記切替条件判断手段Ｘは、前記ストロボ発光要求信号を受け取った場合に、前記露出制御手段からの出力に応じ、前記ストロボ発光量決定手段と前記補正条件Ａと前記補正条件Ｂのどのストロボ発光量が適切か判断し、前記切替手段Ｓ１を自動的に切り替えることを特徴とする請求項１のカメラ装置としたものであり、前記補正条件Ａは、ストロボ発光前の前記露出制御手段の前記アンプ制御手段の増幅率αを常に監視し、その増幅率αの値から、前記ストロボ発光量決定手段により決定された、ストロボ発光量を変化させる作用を有し、前記補正条件Ｂは、ストロボ発光前の前記露光制御手段の前記光量制限手段の絞り率βから、前記ストロボ発光量決定手段により、決定されたストロボ発光量を変化させる作用を有し、前記補正条件Ａ、Ｂを必要に応じ、前記切替条件判断手段Ｘにて使い分けることで、常に安定した性能を供給するという作用を有する。
【００１４】
請求項３に記載の発明は、前記ピーク検出手段及び前記平均化演算手段の出力から、前記アンプ回路を制御するアンプ制御手段と、前記ピーク検出手段及び前記平均化演算手段の出力から、前記光量制限手段を制御する光量制御手段と、前記ピーク検出手段及び前記平均化演算手段の出力から、前記アンプ制御手段の出力を変化させる補正条件Ｃと、前記アンプ制御手段と前記補正条件Ｃとの出力を切り替えるための切替手段Ｓ２と、前記ピーク検出手段及び前記平均化演算手段の出力と前記ストロボ発光要求信号から、前記切替手段Ｓ２を切り替えるための条件を判断する切替条件判断手段Ｙを有する露出制御手段であって、前記切替条件判断手段Ｙは、前記ストロボ発光要求信号を受け取った場合に、前記ピーク検出手段及び前記平均化演算手段の出力からの出力に応じ、前記アンプ制御手段と前記補正条件Ｃの出力をどちらが適切かを判断し、前記切替手段Ｓ２を自動的に切り替えることを特徴とする請求項１記載のカメラ装置としたものであり、前記補正条件Ｃは前記ピーク検出手段と、前記平均化演算手段の出力が極端に小さい場合に、前記アンプ制御手段の増幅率αを強制的に変化させる作用を有し、補正条件Ｃを必要に応じ、前記切替条件判断手段Ｙにより、使い分けることで、常に安定した性能を供給するという作用を有する。
【００１５】
以下、本発明の実施の形態について図１から図６を用いて説明する。
【００１６】
（実施の形態１）
図１は、本発明の請求項１に記載のカメラ装置の構成を示すブロック図であり、図１において、１は暗い撮影環境などにおいて光量を補うために発光するストロボで、通常はカメラのレンズと同方向を向いて配置されている。２は入射される光を電気信号に変換する撮像素子（以下、ＣＣＤと記す）、３はＣＣＤ２への光の量を制限するための光量制限手段である光量制限部、４はＣＣＤ２からの電気信号を増幅する増幅手段であるアンプ回路で、通常、増幅率は０であるが、光量制限部３で完全に開放を行ってもなお、光量が足りない場合に増幅を始める回路である。５はアンプ回路４にて増幅された信号をデジタル変換するデジタル変換手段であるデジタル変換部、６はデジタル変換部５からのデジタルのデータから撮影画面上（１画面中）の最大データを検出するピーク検出手段であるピーク検出部、７は撮影画面データ（１画面中）の輝度平均値を演算する平均値算出手段である平均値演算部、８はピーク検出部６と平均値演算部７の出力から、アンプ回路４及び光量制限部３の動作を制御する露出制御手段である露出制御部であり、ストロボ発光要求信号を受け取った場合に制御を変化させることが可能である。９はピーク検出部６と平均値演算部７の出力からストロボ発光を制御するストロボ制御手段であるストロボ制御部で、露出制御部８の出力値から、ストロボ発光量の変化を可能としたストロボ制御手段である。
【００１７】
以上のように構成された本実施の形態のカメラ装置について、図面を用いてそのストロボ発光制御動作を説明する。
【００１８】
まず前提として、撮影環境は従来技術と同様、図７に示すようなものとする。
【００１９】
本カメラ装置をストロボ発光許可モードにしてシャッタボタンを押すと、ストロボ発光要求信号がストロボ制御部９に入力され、ストロボ制御部９はストロボ１を一定期間発光させる（プリ発光）。
【００２０】
次に、レンズ（図示せず）を介して入射される被写体の光信号は光量制限部３で所定光量に制限され、ＣＣＤ２に入力される。ＣＣＤ２では入力された光信号を電気信号に変換して出力する。出力された電気信号はアンプ回路４で所定量増幅される。アンプ回路４で増幅された信号はデジタル変換部５にも入力されており、アナログ信号がデジタル信号に変換される。出力されるデジタル信号はピーク検出部６と平均値演算部７とに入力される。
【００２１】
撮影画面上の最大データを検出するピーク検出部６は、図４のように撮影画面上の略中央付近に設定したエリア２０内にて、最も明るい部分を検出し、その信号レベルを出力する。これにより、図７に示すような撮影環境において、撮影者が被写体２４を撮影する際に、カメラ２８と被写体２４間に意図としない障害物２５が画面上に映り込んだ時にデータとして検出させないようにすることができる。
【００２２】
プリ発光の発光時間は一定であるため、検出されるピーク値の大きさに基づき被写体までの距離を判断する。そのため、図４に示すようにピーク検出を行うエリアを、エリア２２に示すように画面の略中央に設定することで、図５のように障害物２２が画面の隅に映ってしまった場合でも、障害物２２でストロボの発光量が決定されるのを回避することが可能となる。
【００２３】
また、撮影画面データの算術平均値を演算する平均値演算部７も、図６のように画面上にエリアを設ける事が可能である。こちらの場合は画面を複数のブロック２３に分割し、その分割されたブロック２３毎に明るさの平均データを算出する。そのブロック２３毎に出力された明るさデータは、ブロック２３毎に重みを示す係数２４を乗算する。係数２４は、図示のように「１」「３」「５」の３種類となっていて、画面の中央部を「５」、最外周を「１」、中間位置を「３」とした。つまり、画面の中央部ほど重みが強くなるように係数を設定してある。なお、図示の係数２４は、説明をわかりやすくするために表示したものであり、実際に係数の数値が表示されるものではない。また、係数２４の数値は図示のものに限定されるものではない。
【００２４】
全体の平均データとしては、各ブロック毎に係数２４がかけられ、その係数がかけられたブロック毎の平均データの合算をブロック数にて割った結果が、平均データとして出力される。これは、ピーク検出部６のように、画面の四隅等に映り込んだ物には重点を置かないようなデータの出力を可能とする。
【００２５】
この二つのデータ（ピークデータと平均データ）はストロボ制御部９にて、例えばピークデータ６０％、平均データ４０％の比率で加算され、最終的に一つのデータとなり、ストロボ発光量の演算に使われる。また、この比率は自由に変更が可能である。この比率は、そのストロボ発光量の演算に使用するデータがピーク検出部６のデータのみであると、画面上にスポット的に明るいものが映ると、発光量を抑えてしまう為、撮影したい物が暗くなる恐れがある。また、平均値演算部７のデータのみであると、撮影したい物が極端に小さく周囲が暗いと、平均値として低くなる為、ストロボ発光量が大きくなり、撮影したい物が、白飛びする恐れがある。よって、この二つのデータをバランス良く配分し、ストロボ発光量を最適化するような比率をかける事を必要とし、また可能とするものである。
【００２６】
以上のように本実施の形態によれば、ストロボ発光量を撮影したい被写体の映像情報をピーク検出部６と平均化演算部７からの出力データとして、取り込むことにより、ストロボ発光量を演算、制御を行うことで誤動作の無いストロボ撮影を提供することができる。
【００２７】
（実施の形態２）
図２は本発明のストロボ制御部９に関する詳細な構成を示すブロック図である。図２において、１０はピーク検出部６と平均値演算部７の出力を元にストロボ発光量を演算／制御するストロボ発光量決定手段であるストロボ発光量決定部、１１はストロボ発光量決定部１０の出力に、露出制御部の出力を元に発光量の変化をさせる第１の補正条件である補正条件Ａを発生する第１の補正条件発生手段である補正条件Ａ発生部、１２は補正条件Ａとは異なった特性を持つ第２の補正条件である補正条件Ｂを発生する第２の補正条件発生手段である補正条件Ｂ発生部、１３はストロボに対する発光量をストロボ発光量決定部、補正条件Ａ、Ｂのどの出力を使うか切り替えることを可能とした第１の切り換え手段である切替部、１４は露出制御部８の出力により、切替部１３を切り替える切替条件判断手段である切替条件判断部である。
【００２８】
以上のように構成されたストロボ制御部９について、図２を用いてその動作を説明する。
【００２９】
補正条件Ａ発生部１１で発生する補正条件Ａは、露出制御部８のアンプ制御部の出力により、ストロボ発光量決定部１０により決定されたストロボ発光量を変化させる補正である。補正条件Ａ、Ｂの無い場合のストロボ撮影は、暗いところでは最適化されるが、比較的明るい室内等では、プリ発光にて取り込む映像情報に、周囲の光が加算されるため、ピーク検出部６及び平均値演算部７からの出力データが高くなり、ストロボ発光量が低くなり、最適なストロボ撮影が出来なくなる恐れがある。
【００３０】
このため、補正条件Ａでは、露出制御部８のストロボ発光前のアンプ回路４の増幅率αを常に監視し、この増幅率αを元に、ストロボ発光量を変化させる作用を有する。この増幅率αは、画面上の明るさに応じ、自動的に制御をかけられる。よって、周囲の光が多ければ増幅率αは下がり、少なければ増幅率αは大きくなる。これにより周囲の光の量を予測し、ストロボ発光量を変化させ、周囲の明るさに影響しないストロボ撮影を提供する。
【００３１】
補正条件Ｂ発生部１２で発生する補正条件Ｂは、露出制御部８の光量制限部３の状態により、ストロボ発光量決定部１０により決定されたストロボ発光量を変化させる補正である。屋外等の極めて明るい場所や、被写体の後からの極めて明るいライト等があった場合等の逆光状態でのストロボ撮影では、周囲の光量が極めて大きく、ピーク検出部６や平均値演算部７の出力データが極めて大きくなるため、ストロボ発光量が極端に小さくなり、最適なストロボ撮影ができなくなる恐れがある。
【００３２】
このため、補正条件Ｂでは、光量制限部３のストロボ発光前の絞り率βを常に監視し、この絞り率から、ストロボ発光量を変化させる作用を有する。これにより、屋外等の逆光状態でも誤動作の無いストロボ撮影を提供することができる。
【００３３】
切替条件判断部１４は補正条件Ａ、Ｂが必要かどうかを露出制限部８の出力値により判断する。絞り率βが開放で増幅率αが最大の場合には、補正条件Ａ、Ｂは使わず、絞り率βが開放で増幅率αが最大ではない場合には、補正条件Ａを使用、増幅率αが０の場合は補正条件Ｂを使うという判断を行い、切替部１３を自動的に切り替え、ユーザーに常に最適なストロボ撮影を提供するものである。
【００３４】
以上のように本実施の形態によれば、ストロボ制御部９に補正条件Ａ，Ｂを設けることにより、周囲明るさに全く影響を受けず、常に安定したストロボ撮影を提供することが出来る。
【００３５】
（実施の形態３）
図３は、本発明の露出制御部８に関する詳細な構成を示すブロック図である。図３において、１５はピーク検出部６と平均化演算部７の出力が低い場合、つまり被写体が暗い場合にアンプ回路４の増幅率αを制御するアンプ制御手段であるアンプ制御部、１６はピーク検出部６と平均化部７の出力が高い場合つまり被写体が明るい場合に光量制限部３を制御する光量制御手段である光量制御部、１７はアンプ回路４の増幅率αを変化させる作用を持つ第３の補正条件である補正条件Ｃを発生する第３の補正条件発生手段である補正条件Ｃ発生部、１８は補正条件Ｃを使用するか否かの切り替えを可能とした第２の切替手段である切替部、１９はピーク検出部６と平均化演算部７の出力から切替部１８を切り替える判断を行う切替条件判断手段である切替条件判断部である。
【００３６】
以上のように構成された露出制御部８について、図３を用いてその動作を説明する。
【００３７】
まず、補正条件Ｃ発生部１７の補正条件Ｃは、プリ発光にて得られたピーク検出部６と平均値演算部７の出力が極めて小さい場合に、アンプ制御部１５の出力を変化させる作用を有する。ピーク検出部６と平均値演算部７の出力が極めて小さい場合、被写体までの距離が遠い、又は黒いものを撮影したときが考えられ、この場合アンプ回路の増幅率αを上昇させ、撮影時のストロボ発光により得られた映像データを増幅する。これにより、ある程度遠く、ストロボ１を最大で発光させても光が届かない場所の被写体でも明るく撮影することを可能とする。
【００３８】
ただし、増幅率αを上昇させすぎると、かえってノイズが目立つようになるため、一定でリミットをかけることができるという特徴を有する。切替条件判断部１９は、ピーク検出部６と平均値演算部７の出力から判断し、切替部１８を自動的に切り替え、ユーザーに常に最適なストロボ発光を提供するものである。
【００３９】
以上のように本実施の形態によれば、露出制御部８に補正条件Ｃを発生する補正条件Ｃ発生部１７を設け、自動的にその必要性を判断し、切り替えることにより、ストロボ１が最大発光しても光が届かないある程度の距離まで、常に安定したストロボ撮影を提供することが出来る。
【００４０】
【発明の効果】
以上のように本発明は、プリ発光による被写体情報の検出により、従来のような測光センサー方式のストロボ撮影において、誤動作により、被写体が極端に暗く、又は明るく撮影されることが無く、周り光量や、被写体によらない常に安定したストロボ撮影を可能とする優れた効果が得られる。
【図面の簡単な説明】
【図１】本発明の実施の形態１におけるカメラ装置の動作説明のための構成を示すブロック図
【図２】本発明の実施の形態２におけるストロボ制御部の詳細な構成を示すブロック図
【図３】本発明の実施の形態３における露出制御部の詳細な構成を示すブロック図
【図４】同実施の形態１におけるピーク検出部の動作を説明するための模式図
【図５】同実施の形態１におけるピーク検出部の優位性を説明するための模式図
【図６】同実施の形態１における平均値演算部の説明するための模式図
【図７】従来のストロボ撮影における課題説明のための模式図
【符号の説明】
１  ストロボ
２  撮像素子
３  光量制限部
４  アンプ回路
５  デジタル変換部
６  ピーク検出部
７  平均値演算部
８  露光制御部
９  ストロボ制御部
【図１】
2004297309.tif 000003
【図２】
2004297309.tif 000004
【図３】
2004297309.tif 000005
【図４】
2004297309.tif 000006
【図５】
2004297309.tif 000007
【図６】
2004297309.tif 000008
【図７】
2004297309.tif 000009